(57)【要約】【課題】レンズマウントから撮像素子を保持する保持部材までの間の部材の積み上げバラつきの影響を受けることなく、レンズマウント面に対して撮像素子の撮像面を精度よく位置決めする技術を提供する。【解決手段】光路長調整装置は、レンズマウント４００が固定される固定部材２１０と、撮像素子３１０を保持する保持部材３３０と、保持部材３３０が固定され、固定部材２１０に対して光軸方向に移動可能に案内されるとともに、レンズマウント４００に対して光軸方向に沿って係合する可動部材２３０と、可動部材２３０に螺合され、回転することにより可動部材２３０を光軸方向に移動させてレンズマウント４００のレンズのマウント面から撮像素子３１０の撮像面３１１までの光路長を調整する光路長調整部材２４０と、を備える。【選択図】図７
2017167486.tif 000002
【特許請求の範囲】
【請求項１】
レンズマウントが固定される固定部材と、
撮像素子を保持する保持部材と、
前記保持部材が固定され、前記固定部材に対して光軸方向に移動可能に案内されるとともに、前記レンズマウントに対して光軸方向に沿って係合する可動部材と、
前記可動部材に螺合され、回転することにより前記可動部材を光軸方向に移動させて前記レンズマウントのレンズのマウント面から前記撮像素子の撮像面までの光路長を調整する光路長調整部材と、を備えることを特徴とする光路長調整装置。
【請求項２】
前記可動部材には、前記レンズマウントに設けられた穴部に対して光軸方向に沿って係合する軸部が設けられていることを特徴とする請求項１に記載の光路長調整装置。
【請求項３】
前記光路長調整部材は、前記可動部材の外周部に螺合されていることを特徴とする請求項１又は２に記載の光路長調整装置。
【請求項４】
前記可動部材を光軸方向に付勢する付勢部材を備えることを特徴とする請求項１乃至３のいずれか一項に記載の光路長調整装置。
【請求項５】
請求項１乃至４のいずれか一項に記載の光路長調整装置を備えることを特徴とする撮像装置。
【発明の詳細な説明】
【技術分野】
【０００１】
本発明は、レンズ交換式の撮像装置のフランジバック長を調整する光路長調整装置、及び光路長調整装置を備えるデジタルカメラ等の撮像装置に関する。
【背景技術】
【０００２】
レンズ交換式のデジタルカメラ等では、交換レンズを着脱可能に装着するレンズマウント面からレンズを通過した入射光が結像する撮像面までの光路の距離であるフランジバック長が任意の長さに固定されている。このフランジバック長は、交換レンズの個体差や環境の変化に合わせて調整するのが好ましい。
【０００３】
従来、撮像素子を保持する保持部材を光軸方向に移動させることでフランジバック長を調整する光路長調整装置において、より高精度なフランジバック長の調整をするために、光路長調整装置を構成する部材間に複数の付勢部材を配置した技術が提案されている。この提案では、付勢部材の付勢力により光路長調整装置を構成する各部材間のガタつきを抑制することができるとしている（特許文献１）。
【先行技術文献】
【特許文献】
【０００４】
【特許文献１】特開２００５−３５４２２０号公報
【発明の概要】
【発明が解決しようとする課題】
【０００５】
しかし、上記特許文献１では、レンズマウントから撮像素子を保持する保持部材までの間に、直進移動筒、固定筒、及びカメラフレームの部材が介在しているため、これらの部材の積み上げバラつきの影響を受け易い。このため、レンズマウント面に対して撮像素子の撮像面が傾いてしまうという問題がある。
【０００６】
そこで、本発明は、レンズマウントから撮像素子を保持する保持部材までの間の部材の積み上げバラつきの影響を受けることなく、レンズマウント面に対して撮像素子の撮像面を精度よく位置決めすることができる技術を提供することを目的とする。
【課題を解決するための手段】
【０００７】
上記目的を達成するために、本発明の光路長調整装置は、レンズマウントが固定される固定部材と、撮像素子を保持する保持部材と、前記保持部材が固定され、前記固定部材に対して光軸方向に移動可能に案内されるとともに、前記レンズマウントに対して光軸方向に沿って係合する可動部材と、前記可動部材に螺合され、回転することにより前記可動部材を光軸方向に移動させて前記レンズマウントのレンズのマウント面から前記撮像素子の撮像面までの光路長を調整する光路長調整部材と、を備えることを特徴とする。
【発明の効果】
【０００８】
本発明によれば、レンズマウントから撮像素子を保持する保持部材までの間の部材の積み上げバラつきの影響を受けることなく、レンズマウント面に対して撮像素子の撮像面を精度よく位置決めすることができる。
【図面の簡単な説明】
【０００９】
【図１】（ａ）は本発明の光路長調整装置を備える撮像装置の実施形態の一例であるデジタルカメラにレンズマウントを介して交換レンズが装着されている状態を正面側から見た斜視図、（ｂ）は交換レンズを背面側から見た斜視図である。
【図２】（ａ）は光路長調整装置のカメラの正面側から見た分解斜視図、（ｂ）は光路長調整装置のカメラの背面側から見た分解斜視図である。
【図３】光路長調整装置のカメラの側面から見た要部断面図である。
【図４】（ａ）は撮像素子ユニットのカメラの正面側から見た分解斜視図、（ｂ）は撮像素子ユニットのカメラの背面側から見た分解斜視図である。
【図５】（ａ）はレンズマウントのカメラの正面側から見た分解斜視図、（ｂ）はレンズマウントのカメラの背面側から見た分解斜視図である。
【図６】レンズマウントに交換レンズが装着された状態を示す側断面図である。
【図７】レンズアダプタ、光路長調整装置、及び撮像素子ユニットの関係を説明する側断面図である。
【図８】（ａ）乃至（ｅ）は、光路長調整装置によりフランジバック長を調整する手順を説明する斜視図である。
【図９】（ａ）乃至（ｅ）は、図８（ａ）乃至図８（ｅ）に対応するレンズマウント及び光路長調整装置の要部断面図である。
【発明を実施するための形態】
【００１０】
以下、図面を参照して、本発明の実施形態の一例を説明する。
【００１１】
図１（ａ）は、本発明の光路長調整装置を備える撮像装置の実施形態の一例であるデジタルカメラにレンズマウントを介して交換レンズが装着されている状態を正面側（被写体側）から見た斜視図である。なお、図１（ａ）では、デジタルカメラ１００及び交換レンズ１５０は、説明の便宜上、破線で図示している。また、本実施形態では、撮像装置の一例としてデジタルカメラを例示するが、これに限定されない。
【００１２】
図１（ａ）に示すように、本実施形態のデジタルカメラ１００（以下、カメラ１００という。）の正面側には、レンズマウント４００を介して交換レンズ１５０が着脱可能に装着されている。カメラ１００には、撮像素子ユニット３００、レンズマウント４００、及び光路長調整装置２００が設けられている。
【００１３】
図１（ｂ）は、交換レンズ１５０を背面側（カメラ１００への装着面側）から見た斜視図である。図１（ｂ）に示すように、交換レンズ１５０の背面側には、マウント面１５１が設けられ、マウント面１５１の径方向内側には、複数の係合爪部１５２ａ〜１５２ｃが周方向に略等間隔で設けられている。また、交換レンズ１５０の背面側の係合爪部１５２ｂと係合爪部１５２ｃとの間には、電気接続部１５３が設けられている。
【００１４】
図２（ａ）は光路長調整装置２００のカメラ１００の正面側から見た分解斜視図、図２（ｂ）は光路長調整装置２００のカメラ１００の背面側から見た分解斜視図である。図３は、光路長調整装置２００のカメラ１００の側面から見た要部断面図である。
【００１５】
図２及び図３に示すように、光路長調整装置２００は、固定リング２１０、可動リング２３０、光路長調整リング２４０、操作ギア部材２５０、弾性リング２６０、光路長固定リング２７０、及び操作部材２８０を備える。
【００１６】
ここで、固定リング２１０は、本発明の固定部材の一例に相当し、可動リング２３０は、本発明の可動部材の一例に相当し、光路長調整リング２４０は、本発明の光路長調整部材の一例に相当し、弾性リング２６０は、本発明の付勢部材の一例に相当する。
【００１７】
固定リング２１０の内周部には、軸受部２１１が形成されている。固定リング２１０の正面側には、当接部２１３，２１４、及び位置決め凸部２１７が設けられ、固定リング２１０の背面側には、当接部２１２が設けられている。当接部２１２〜２１４は、軸受部２１１の外周側でそれぞれ円環状の面により形成され、当接部２１４は、当接部２１３の内周側で正面側に突出して設けられている。
【００１８】
また、固定リング２１０には、回転穴部２１５、及び複数の締結ボス２１６ａ〜２１６ｄが設けられている。締結ボス２１６ａ〜２１６ｄには、位置決め凸部２１７で位置決めされたレンズマウント４００がビス等を介して固定される。
【００１９】
可動リング２３０は、中央部に矩形状の開口穴部２３１が形成されている。開口穴部２３１は、交換レンズ１５０の光路を阻害しない開口面積を有する。可動リング２３０の正面側には、位置決め円筒部２３２及び回転止め軸部２３６が設けられ、可動リング２３０の外周側には、撮像素子ユニット３００に向けて突出する複数の固定腕２３５ａ〜２３５ｃが設けられている。
【００２０】
位置決め円筒部２３２は、固定リング２１０の軸受部２１１に係合し、軸受部２１１は、可動リング２３０を光軸方向に移動可能に案内する。また、可動リング２３０の外周部には、雄ネジ部２３３が形成され、可動リング２３０の内周部には、雌ネジ部２３４が形成されている。
【００２１】
光路長調整リング２４０は、正面側の端部に円環状の面からなる当接部２４２が設けられ、当接部２４２は、固定リング２１０の当接部２１２に対して光軸方向に当接する。光路長調整リング２４０の内周部には、雌ネジ部２４１が形成され、光路長調整リング２４０の外周部には、平歯車部２４３が形成されている。雌ネジ部２４１は、可動リング２３０の雄ネジ部２３３に螺合し、光路長調整リング２４０が回転することで、可動リング２３０を光軸方向に移動させる。
【００２２】
操作ギア部材２５０は、回転軸２５２を有し、回転軸２５２の背面側の端部に光路長調整リング２４０の平歯車部２４３に噛合する平歯車部２５１が設けられている。回転軸２５２の正面側の端部には、頭部が設けられ、頭部には、六角レンチ等の工具が係合する六角穴部２５３が形成されている。回転軸２５２は、固定リング２１０の回転穴部２１５に回転可能に支持され、Ｅリング２５５により抜け止めされている。
【００２３】
光路長固定リング２７０は、正面側の端部に大径部２７３が設けられ、大径部の外周部には、径方向外側に突出するフランジ部２７２が設けられている。また、光路長固定リング２７０の外周部には、雄ネジ部２７１が形成されている。
【００２４】
雄ネジ部２７１は、可動リング２３０の雌ネジ部２３４と螺合し、光路長固定リング２７０は、回転することで、光軸方向に移動する。また、大径部２７３の背面側の面には、固定リング２１０の当接部２１４が光軸方向に当接し、フランジ部２７２の背面側の面には、弾性リング２６０の正面側の面が光軸方向に当接する。
【００２５】
弾性リング２６０は、例えば円環状の波ワッシャで構成され、背面側の面には、固定リング２１０の当接部２１３が光軸方向に当接して、当接部２１３とフランジ部２７２との間に光軸方向に圧縮された状態で設けられている。
【００２６】
操作部材２８０は、光路長固定リング２７０に形成されたビス穴２７４ａ，２７４ｂに不図示のビスを介して固定される。操作部材２８０には、光路長固定リング２７０の径方向外側に突出する操作部２８１が設けられ、操作部２８１の基部には、遮蔽部２８２が設けられている。
【００２７】
図４（ａ）は撮像素子ユニット３００のカメラ１００の正面側から見た分解斜視図、図４（ｂ）は撮像素子ユニット３００のカメラ１００の背面側から見た分解斜視図である。
【００２８】
撮像素子ユニット３００は、図４に示すように、撮像素子３１０が実装される素子基板３２０と、素子基板３２０に実装された撮像素子３１０を保持する保持部材３３０とを備える。撮像素子３１０は、ＣＣＤセンサやＣＭＯＳセンサ等により構成され、保持部材３３０は、可動リング２３０の固定腕２３５ａ〜２３５ｃにビス等を介して固定される。
【００２９】
撮像素子３１０は、交換レンズ１５０を通過して撮像面３１１に結像した被写体像を光電変換して画像信号を出力する。素子基板３２０は、撮像素子３１０から出力された画像信号に対して所定の処理を施して不図示のメイン基板に出力する。保持部材３３０の中央部には、固定部３３１が設けられ、固定部３３１には、素子基板３２０に実装された撮像素子３１０の固定面３１３が接着等により固定される。
【００３０】
図５（ａ）はレンズマウント４００のカメラ１００の正面側から見た分解斜視図、図５（ｂ）はレンズマウント４００のカメラ１００の背面側から見た分解斜視図である。図６は、レンズマウント４００に交換レンズ１５０が装着された状態を示す側断面図である。なお、図６では、説明の便宜上、光路長調整装置２００及び撮像素子ユニット３００の図示は省略している。
【００３１】
図５及び図６に示すように、レンズマウント４００は、固定マウント部材４１０と、可動マウント部材４２０とを有する。
【００３２】
固定マウント部材４１０は、中央部に交換レンズ１５０の係合爪部１５２ａ〜１５２ｃが挿通する開口部４１２が形成され、また、内周部には、雌ネジ部４１３が形成されている。固定マウント部材４１０の正面側において、開口部４１２の周囲には、交換レンズ１５０のマウント面１５１に光軸方向に当接するマウント面４１１が設けられている。
【００３３】
また、固定マウント部材４１０には、取付穴部４１４ａ〜４１４ｄ、位置決め穴部４１６、長穴部４１７、及び操作穴部４１８が形成されている。レンズマウント４００は、固定マウント部材４１０の取付穴部４１４ａ〜４１４ｄに挿入した不図示のビスを固定リング２１０の締結ボス２１６ａ〜２１６ｄに締結することで、固定リング２１０に固定される。
【００３４】
このとき、位置決め穴部４１６には、固定リング２１０の位置決め凸部２１７が係合し、長穴部４１７には、可動リング２３０の回転止め軸部２３６が係合して可動リング２３０を光軸方向に移動可能に案内する。また、操作穴部４１８には、固定リング２１０の回転穴部２１５に回転可能に支持された操作ギア部材２５０の六角穴部２５３が露出する。
【００３５】
可動マウント部材４２０は、固定マウント部材４１０の背面側に配置され、固定マウント部材４１０の雌ネジ部４１３に螺合される円筒状の雄ネジ部４２２を有する。雄ネジ部４２２の正面側内周部には、交換レンズ１５０の係合爪部１５２ａ〜１５２ｃに対して回転方向に係脱可能に係合する係合爪部４２１ａ〜４２１ｃが周方向に略等間隔で設けられている。
【００３６】
雄ネジ部４２２の背面側外周部には、径方向外側に突出する腕部４２９ａ〜４２９ｄが周方向に略等間隔で設けられ、腕部４２９ａ〜４２９ｄは、雄ネジ部４２２の径方向外側に略同軸配置された円環状の操作部４２３に接続されている。
【００３７】
そして、レンズマウント４００に交換レンズ１５０を固定するには、固定マウント部材４１０のマウント面４１１に対して交換レンズ１５０のマウント面１５１を当接させた状態で、可動マウント部材４２０の操作部４２３を回転操作する。
【００３８】
このとき、可動マウント部材４２０の係合爪部４２１ａ〜４２１ｃが交換レンズ１５０の係合爪部１５２ａ〜１５２ｃに対して回転方向に係合する。これにより、交換レンズ１５０が撮像素子ユニット３００側に引き込まれてレンズマウント４００に対して着脱可能に装着される。
【００３９】
次に、図７乃至図９を参照して、光路長調整装置２００によるフランジバック長の調整機構について説明する。図７は、レンズマウント４００、光路長調整装置２００、及び撮像素子ユニット３００の関係を説明する側断面図である。ここで、フランジバック長とは、固定マウント部材４１０のマウント面４１１から撮像素子３１０の撮像面３１１までの光軸方向の距離をいう。
【００４０】
前述したように、マウント面４１１を有するレンズマウント４００の固定マウント部材４１０は、固定リング２１０の締結ボス２１６ａ〜２１６ｄに対してビス等を介して固定される。また、撮像面３１１を有する撮像素子ユニット３００は、可動リング２３０の固定腕２３５ａ〜２３５ｃに対してビス等を介して固定される。
【００４１】
このとき、図７に示すように、固定リング２１０の当接部２１２は、光路長調整リング２４０の当接部２４２に対して光軸方向に当接する。また、光路長調整リング２４０の雌ネジ部２４１は、可動リング２３０の雄ネジ部２３３に螺合されて雄ネジ部２３３に対して光軸方向に当接する。
【００４２】
可動リング２３０の雌ネジ部２３４は、光路長固定リング２７０の雄ネジ部２７１に螺合されて雄ネジ部２７１に対して光軸方向に当接し、光路長固定リング２７０の大径部２７３の背面には、固定リング２１０の当接部２１４が光軸方向に当接する。このように、光路長調整装置２００を構成する各部材同士が光軸方向に当接する関係となっている。
【００４３】
そして、光路長固定リング２７０を回転操作して締め付けることで、可動リング２３０がレンズマウント４００側に片寄せされ、可動リング２３０の片寄せ動作に連動して光路長調整リング２４０もレンズマウント４００側に片寄せされる。このようにして、固定リング２１０、可動リング２３０、光路長調整リング２４０、及び光路長固定リング２７０は互いに固定され、非常に剛性の高い構造となっている。
【００４４】
ところで、フランジバック長を調整、及び固定するためには、前述したように、マウント面４１１から撮像面３１１まで複数の部材を介在させる必要がある。よって、複数の部材の積み上げバラつきによって、レンズマウント４００に対して撮像素子ユニット３００の撮像面３１１が光軸を中心に傾いて固定される可能性がある。
【００４５】
本実施形態では、前述したように、撮像面３１１を有する撮像素子ユニット３００は、可動リング２３０の固定腕２３５ａ〜２３５ｃに固定され、可動リング２３０の位置決め円筒部２３２は、固定リング２１０の軸受部２１１に支持される。
【００４６】
また、固定リング２１０の位置決め凸部２１７は、レンズマウント４００の固定マウント部材４１０の位置決め穴部４１６に係合し、可動リング２３０の回転止め軸部２３６は、固定マウント部材４１０の長穴部４１７に係合する。
【００４７】
このように、光路長調整装置２００を構成する部材を極力介さずに可動リング２３０の回転止め軸部２３６と固定マウント部材４１０とが直接係合することで、他の部材の積み上げバラつきの影響を受けず、撮像面３１１の傾きを防止することが可能となる。
【００４８】
また、たとえば、撮像素子ユニット３００の正面側に、光学フィルタ切替装置を配置しても、レンズマウント４００に対する撮像面３１１の光軸を中心とした傾きには影響がない。更に、たとえば、レンズマウント４００を異なる種類のレンズマウントに交換した場合でも、同様の係合部を用いるため、交換後のレンズマウントに対する撮像面３１１の光軸を中心とした傾きがなくなる。
【００４９】
図８（ａ）乃至図８（ｅ）は、光路長調整装置２００によりフランジバック長を調整する手順を説明する斜視図である。図９（ａ）乃至図９（ｅ）は、図８（ａ）乃至図８（ｅ）に対応するレンズマウント４００及び光路長調整装置２００の要部断面図である。
【００５０】
図８（ａ）及び図９（ａ）は、カメラ１００のレンズマウント４００に交換レンズ１５０を装着する様子をしている。図８（ｂ）及び図９（ｂ）は、レンズマウント４００に交換レンズ１５０を装着した様子を示している。
【００５１】
まず、レンズマウント４００のマウント面４１１に交換レンズ１５０のマウント面１５１を当接させ、この状態で操作部４２３を回転操作して可動マウント部材４２０を撮像素子ユニット３００側に光軸方向に移動させる。これにより、交換レンズ１５０が撮像素子ユニット３００側に引き込まれてレンズマウント４００に固定される。この状態では、カメラ１００での撮影が可能となるため、フランジバック調整用チャートなどを撮影しながら最適なフランジバック長に調整することが可能となる。
【００５２】
図８（ｂ）及び図９（ｂ）の状態では、フランジバック長は固定されている。フランジバック長を調整するためには、レンズマウント４００の固定マウント部材４１０に形成された操作穴部４１８から操作ギア部材２５０の六角穴部２５３に六角レンチを係合させる必要がある。
【００５３】
ここで、光路長固定リング２７０の大径部２７３の背面に固定リング２１０の当接部２１４が当接する図８（ｂ）及び図９（ｂ）の状態では、操作部材２８０の操作部２８１が操作ギア部材２５０の六角穴部２５３を覆っている。このため、六角穴部２５３に六角レンチを係合させることができない。これにより、フランジバック長が固定された状態において、六角レンチによりフランジバック長が調整されることを防ぐことが可能となる。
【００５４】
図８（ｃ）及び図９（ｃ）は、フランジバック長を調整するための待機状態を示している。操作部材２８０の操作部２８１を回動操作すると、操作穴部４１８を通して六角穴部２５３が露出する。これにより、六角レンチを操作穴部４１８から六角穴部２５３に係合させてフランジバック長を調整することが可能となる。
【００５５】
また、操作部材２８０の操作部２８１の回動に連動して光路長固定リング２７０も回動する。光路長固定リング２７０の雄ネジ部２７１は、可動リング２３０の雌ネジ部２３４に螺合しているため、光路長固定リング２７０は、回動に伴い、光軸方向のレンズマウント４００側に移動する。
【００５６】
ここで、本実施形態では、光路長固定リング２７０の雄ネジ部２７１と可動リング２３０の雌ネジ部２３４との螺合部の送り量を４ｍｍとしている。そして、操作部２８１の回動操作により大径部２７３の背面と当接部２１４との間に約０．３ｍｍの隙間が発生するように、操作部２８１の操作量、ネジピッチ及び条数が設定されている。
【００５７】
この隙間寸法０．３ｍｍ分だけレンズマウント４００側にフランジバック長を変えて調整することが可能である。なお、撮像素子ユニット３００側にフランジバック長を調整するときは、調整量はこの隙間に因らない。
【００５８】
また、大径部２７３の背面と当接部２１４との間に発生する隙間により、光路長調整装置２００を構成する部材にガタつきが生じるが、このガタつきは、弾性リング２６０により抑制される。
【００５９】
即ち、固定リング２１０を基準に考えると、光路長固定リング２７０は、弾性リング２６０によりレンズマウント４００側に付勢され、この付勢力は、図８（ｂ）及び図９（ｂ）の状態の光路長固定リング２７０の締結力と同一方向に働く。このため、光路長調整装置２００を構成する部材は、図９（ｂ）及び図９（ｃ）とで同一方向に片寄せされる。
【００６０】
このように、光路長調整装置２００を構成する部材を同一方向に片寄せすることで、光路長固定リング２７０を緩めたときも締めたときも、フランジバック長が変化することを防いでいる。
【００６１】
図８（ｄ）及び図９（ｄ）は、フランジバック長を調整する様子を示している。フランジバック長を調整するためには、操作ギア部材２５０の六角穴部２５３に六角レンチを係合させて、操作ギア部材２５０を回転させる。これにより、操作ギア部材２５０の平歯車部２５１に噛合する光路長調整リング２４０の平歯車部２４３に動力が伝わり、光路長調整リング２４０が回転する。
【００６２】
ここで、光路長調整リング２４０の雌ネジ部２４１は、可動リング２３０の雄ネジ部２３３に螺合している。本実施形態では、この螺合部の送り量１ｍｍとし、光路長調整リング２４０の回転により可動リング２３０を撮像素子ユニット３００側に光軸方向に約０．１ｍｍ移動させている。
【００６３】
可動リング２３０は、位置決め円筒部２３２が固定リング２１０の軸受部２１１に係合し、また、回転止め軸部２３６がレンズマウント４００の長穴部４１７に係合している。これらの係合部は、光軸方向に摺動可能であり、これにより、レンズマウント４００に対して可動リング２３０が回転規制された状態で光軸方向に移動することが可能となる。可動リング２３０が傾かないことは、撮像面３１１が傾かないことと同義である。フランジバック長は、前述したように、カメラ１００から出力されるフランジバック調整用チャート等の画像を見ながら調整する。
【００６４】
図８（ｅ）及び図９（ｅ）は、調整後のフランジバック長を固定する様子を示している。図８（ｄ）及び図９（ｄ）の状態は、弾性リング２６０の付勢力のみによって光路長調整装置２００を構成する部材が片寄せされている比較的剛性の低い状態である。この状態では、光路長調整装置２００に対して弾性リング２６０の付勢力を超える外力が加わった場合に、部材同士が動いてしまい、フランジバック長が変化する。
【００６５】
そこで、フランジバックの調整後、操作部材２８０の操作部２８１を図８（ｃ）及び図９（ｃ）の場合と逆方向、即ち、六角穴部２５３を覆う方向に回転操作する。これにより、光路長固定リング２７０を弾性リング２６０の付勢力に抗して光軸方向の撮像素子ユニット３００側に移動させ、大径部２７３の背面を固定リング２１０の当接部２１４に当接させる。
【００６６】
この状態では、前述したように、剛性の高い構造体となるため、光路長調整装置２００に対して弾性リング２６０の付勢力を超える外力が加わってもフランジバック長が変化することがなくなる。
【００６７】
ところで、フランジバック長を調整するときは、光軸方向に移動する可動リング２３０に連動して可動リング２３０と螺合している光路長固定リング２７０も光軸方向に移動する。図８及び図９では、可動リング２３０を撮像素子ユニット３００側に０．１ｍｍ移動させてフランジバック長を調整している。
【００６８】
このため、光路長固定リング２７０の大径部２７３の背面と固定リング２１０の当接部２１４との隙間寸法は、０．３ｍｍからこの移動量０．１ｍｍだけ短くなる。つまり、大径部２７３の背面を当接部２１４に当接させるための光路長固定リング２７０の回転量も少なくなる。
【００６９】
したがって、大径部２７３の背面を当接部２１４に当接させた状態において、操作部材２８０の操作部２８１により操作ギア部材２５０の六角穴部２５３を光軸投影上覆うことができない。このため、操作部２８１の基部に遮蔽部２８２を設けている。
【００７０】
これにより、六角穴部２５３の半分程度を遮蔽部２８２で覆って六角レンチを係合できないようにし、図９（ｂ）の状態と同様に、フランジバック長が固定された状態での六角レンチによる操作を防ぐことが可能となる。
【００７１】
なお、図８（ｅ）及び図９（ｅ）の状態における操作ギア部材２５０の位置変化を抑えるためには、本実施形態のように、光路長固定リング２７０の螺合部の送り量を光路長調整リング２４０の螺合部の送り量よりも大きくすることが望ましい。
【００７２】
以上説明したように、本実施形態では、レンズマウント４００の固定マウント部材４１０と撮像素子ユニット３００が固定される可動リング２３０とが直接係合する。このことは、レンズマウント４００と撮像素子３１０を保持する保持部材３３０とが直接接合することと同義である。このため、他の部材の積み上げバラつきの影響を受けずに撮像面３１１の位置を決めることができ、レンズマウント４００に対する撮像素子３１０の撮像面３１１の位置精度を高くすることが可能となる。
【００７３】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００７４】
２００  光路長調整装置
２１０  固定リング
２３０  可動リング
３００  撮像素子ユニット
３１０  撮像素子
３１１  撮像面
３３０  保持部材
４００  レンズマウント
４１０  固定マウント部材
【図１】
2017167486.tif 000003
【図２】
2017167486.tif 000004
【図３】
2017167486.tif 000005
【図４】
2017167486.tif 000006
【図５】
2017167486.tif 000007
【図６】
2017167486.tif 000008
【図７】
2017167486.tif 000009
【図８】
2017167486.tif 000010
【図９】
2017167486.tif 000011